(57)【要約】  【課題】モータ等がローラに内蔵されていてハウジングを小型化でき、且つ保守作業が容易な表示装置を提供することを課題とする。  【解決手段】ハウジング２の中には、フレーム３、下部側ローラ５、上部側ローラ６及び表示シート１１が内蔵されている。下部側ローラ５は、ローラの内部にモータユニット２０が内蔵されたローラである。モータユニット２０は、ケース部３０と、ケース部３０の端部に設けられたフランジ部３１と、ケース部３０に内蔵された駆動部３２と、駆動部３２の動力を受けて回転する出力軸３３によって構成されている。フレーム３のブラケット１８の間に挿通されたネジ８４を緩めて外し、その状態でモータユニット２０を外側に向かって引くと、モータユニット２０は外側に移動してローラ本体６０から抜き取られる。【選択図】  図２
2010008959.tif 000002
【特許請求の範囲】
【請求項１】
ローラと、ローラを支持するフレームと、ローラを回転するモータとを有し、前記ローラによってシートを移動させるシート駆動装置において、モータユニットを有し、当該モータユニットは、ケース内にモータ又はモータと減速機とが内蔵されケースの一端から出力軸が突出するものであり、前記ローラはローラ本体と動力伝達部材を有し、前記ローラ本体は中空であって少なくとも一端側に開口があり、動力伝達部材は、前記ローラ本体の中にあってローラ本体と一体的に回転すると共に前記出力軸が係合する係合部を有し、前記フレームは開口を有し、前記ローラは前記ローラ本体の開口がフレームの開口と連通する位置にあって前記ローラ本体がフレームに回転可能に支持され、前記モータユニットはその一部又は全部が前記ローラ本体内にあってその出力軸がローラ本体内に設けられた前記動力伝達部材の係合部と係合し、モータユニットはフレームに対して回転不能に固定され、前記ローラをフレームに取り付けたままの状態で、前記モータユニットを前記ローラから抜き出すことが可能であることを特徴とするシート駆動装置。
【請求項２】
動力伝達部材の係合部は孔であり、出力軸の先端は中間部に比べて細く、出力軸の中間部が動力伝達部材の係合部と係合することを特徴とする請求項１に記載のシート駆動装置。
【請求項３】
モータユニットは解除可能な固定手段によってフレームに対して回転不能に固定され、前記固定手段を解除することによって前記ローラをフレームに取り付けたままの状態で、前記モータユニットを前記ローラから抜き出すことが可能であることを特徴とする請求項１又は２に記載のシート駆動装置。
【請求項４】
モータユニットのケースであって出力軸とは反対側の部位にフランジ部が設けられ、前記フランジ部はフレームの開口周辺部と接し、前記フランジ部とフレームとの間に固定手段が挿通されてモータユニットがフレームに対して回転不能に固定されていることを特徴とする請求項３に記載のシート駆動装置。
【請求項５】
請求項１乃至４のいずれに記載のシート駆動装置が内蔵され、シートには文字又は図形が表示され、前記シート駆動装置でシートを移動させることによって外部から目視される文字又は図形が変化することを特徴とする表示装置。
【発明の詳細な説明】
【技術分野】
【０００１】
本発明は、広告等を表示する表示装置に関するものである。特に本発明は、シート状の部材に広告等を表示し、シートをローラに懸架したり、ローラで巻き取る等によってシートを移動させ、外部から目視される表示を変更する表示装置に関するものである。
また本発明は、シートを巻き取る等によってシートを移動させるシート駆動装置に関するものである。
【背景技術】
【０００２】
ガラス張りの表示面を有するハウジング内に２本のローラを平行に配し、このローラに長尺状のシートを懸架した構成の表示装置が知られている。
この表示装置では、長尺状のシートに複数の広告等が描かれており、前記したローラをモータで回転してシートを移動させ、表示面に位置する絵を適宜変更する。
【０００３】
図９は、従来技術の表示装置のローラ部分を示した斜視図である。
従来技術の表示装置１００は、図示しないハウジング内に前記ローラ１０１が内蔵されている。また従来技術の表示装置１００は、図示しないハウジング内にモータ１０３と減速機１０５が内蔵されている。
そしてローラ１０１と減速機１０５との間に歯付きベルトやチェーン等１０７が懸架されている。従来技術の表示装置１００では、モータ１０３の出力軸が減速機１０５に接続されており、モータ１０３の回転が減速機１０５で減速され、ベルトやチェーン等１０７を介してローラ１０１に伝導される。
【特許文献１】特開平１１−３４４９４１号公報
【発明の開示】
【発明が解決しようとする課題】
【０００４】
従来技術の表示装置１００は、前記した様に、ハウジング内にローラ１０１と、モータ１０３と、減速機１０５の３者が内蔵されている。即ち従来技術においては、モータ１０３と減速機１０５は、ローラ１０１とは別体であり、モータ１０３と減速機１０５は、ハウジング内で固有の場所を専有している。
そのため従来技術の表示装置は、ハウジングが大きくなってしまうという問題がある。
【０００５】
またモータ１０３と減速機１０５とをローラ１０１に内蔵させる構成も考えられるが、モータ１０３と減速機１０５とをローラ１０１に内蔵させる構成は、保守作業を行い難いという不満がある。
即ちこの種の表示装置は、頻繁にローラ１０１を回転させて表示された広告等をスクロールするため、定期的にモータ１０３や減速機１０５を点検しなければならない。また減速機１０５に注油したり、モータ１０３を取り替えるといった作業が必要な場合もある。
そしてモータ１０３と減速機１０５とをローラ１０１に内蔵させる構造とすると、例えばモータ１０３を取り替えるには、フレームからローラ１０１を取り外し、ハウジングからローラ１０１を取り外してローラ１０１を分解し、内蔵されたモータ１０３を取り出さなければならない。
【０００６】
ところで表示装置には、大小さまざまなサイズがあり、現在市販されているものには、表示部の面積が８平方メートルに及ぶものもある。この様な大型の表示装置では、ローラの全長が数メートルもある。
そのためこの様な大型の表示装置では、ローラ１０１が相当に重く、ローラ１０１を取り外す作業が困難である。
特に大型の表示装置は、屋根の上や、塔の上といった高所に設置される場合が多く、この様な高所で重量物を取り扱うのは危険であり、困難である。
【０００７】
そこで本発明は、従来技術の上記した問題点に注目し、モータ等がローラに内蔵されていてハウジングを小型化でき、且つ保守作業が容易な表示装置を提供することを課題とする。
【課題を解決するための手段】
【０００８】
そして上記した課題を解決するための請求項１に記載の発明は、ローラと、ローラを支持するフレームと、ローラを回転するモータとを有し、前記ローラによってシートを移動させるシート駆動装置において、モータユニットを有し、当該モータユニットは、ケース内にモータ又はモータと減速機とが内蔵されケースの一端から出力軸が突出するものであり、前記ローラはローラ本体と動力伝達部材を有し、前記ローラ本体は中空であって少なくとも一端側に開口があり、動力伝達部材は、前記ローラ本体の中にあってローラ本体と一体的に回転すると共に前記出力軸が係合する係合部を有し、前記フレームは開口を有し、前記ローラは前記ローラ本体の開口がフレームの開口と連通する位置にあって前記ローラ本体がフレームに回転可能に支持され、前記モータユニットはその一部又は全部が前記ローラ本体内にあってその出力軸がローラ本体内に設けられた前記動力伝達部材の係合部と係合し、モータユニットはフレームに対して回転不能に固定され、前記ローラをフレームに取り付けたままの状態で、前記モータユニットを前記ローラから抜き出すことが可能であることを特徴とするシート駆動装置である。
【０００９】
本発明のシート駆動装置は、例えば表示装置に内蔵されて、文字や図形が表示されたシートを移動させるものである。
本発明のシート駆動装置では、モータ又はモータと減速機とがユニット化され、ローラ本体内に挿入されている。またローラ本体は中空であって一端側が開口し、この開口はフレームの開口と連通している。そのためローラ本体の中は、フレームの開口を経て外部と連通している。
そして本発明では、モータユニットがローラ本体内に挿入され、内部でモータユニットの出力軸が動力伝達部材の係合部と係合している。
また前記したローラ本体はフレームに回転可能に支持され、片やモータユニットは、固定手段によってフレームに対して回転不能に固定されている。そのためモータユニット内のモータを回転すると所定の回転数で出力軸が回転する。また減速機を内蔵する場合には、内蔵された減速機によって減速された回転数で出力軸が回転する。ここでモータユニットは、フレームに対して回転不能に固定されているので、モータユニットのケース等は回転せず、出力軸だけが回転し、この出力軸の回転は動力伝達部材を介してローラ本体に伝達される。一方、ローラ本体は、フレームに対して回転可能に固定されているから、モータユニットの出力軸の回転に応じてローラ本体が回転する。
また前記した様にローラ本体は中空であって一端側が開口し、この開口はフレームの開口と連通しているから、モータユニットとフレームとの結合を解除すると、ローラをフレームに取り付けたままの状態で、モータユニットをローラ本体から外部に引き抜くことができる。
そのためローラをフレームから外したり、ハウジングから取り出すことなく、モータと減速機をローラから取り出し、保守作業を容易におこなうことができる。
【００１０】
請求項２に記載の発明は、動力伝達部材の係合部は孔であり、出力軸の先端は中間部に比べて細く、出力軸の中間部が動力伝達部材の係合部と係合することを特徴とする請求項１に記載のシート駆動装置である。
【００１１】
本発明のシート駆動装置は、出力軸の先端が細い。そのためモータユニットをローラ本体内に挿入する際に、出力軸の先端が係合部の孔に入り易い。また本発明では出力軸の中間部が動力伝達部材の係合部と係合するので、モータユニットを装着する際には、出力軸の先端が係合部の孔に入った後に、さらにモータユニットをローラ本体の中に押し込むこととなるが、このとき、出力軸の先端がガイドとして機能する。そのためモータユニットを装着する作業や、モータユニットの出力軸を動力伝達部材の係合部に係合させる作業が容易である。
【００１２】
請求項３に記載の発明は、モータユニットは解除可能な固定手段によってフレームに対して回転不能に固定され、前記固定手段を解除することによって前記ローラをフレームに取り付けたままの状態で、前記モータユニットを前記ローラから抜き出すことが可能であることを特徴とする請求項１又は２に記載のシート駆動装置である。
【００１３】
本発明のシート駆動装置では、固定手段を採用し、固定手段によってモータユニットの回転阻止と、脱落防止機能を発揮させている。
【００１４】
請求項４に記載の発明は、モータユニットのケースであって出力軸とは反対側の部位にフランジ部が設けられ、前記フランジ部はフレームの開口周辺部と接し、前記フランジ部とフレームとの間に固定手段が挿通されてモータユニットがフレームに対して回転不能に固定されていることを特徴とする請求項３に記載のシート駆動装置である。
【００１５】
本発明のシート駆動装置では、固定手段を取り外すことによってモータユニットをローラ本体から抜き出すことができる。固定手段としては、例えばネジを採用することができる。
また本発明のシート駆動装置では、モータユニットのケースであって出力軸とは反対側の部位にフランジ部が設けられている。そしてフランジは、フレームの開口周辺部と接する形状または構造であり、そのためモータユニットをローラ本体内に挿入する際、モータユニットを押し込み過ぎることがない。またフランジ部はフレームの開口周辺部と接して取り付けられるので、モータユニットとフレームとの角度が一定に維持される。一方、ローラ本体内についても、フレームに対して一定の角度が維持されるので、結果的にモータユニットとローラ本体との角度が一致し、モータユニットとローラ本体との芯合わせが容易である。
【００１６】
請求項５に記載の発明は、請求項１乃至４のいずれに記載のシート駆動装置が内蔵され、シートには文字又は図形が表示され、前記シート駆動装置でシートを移動させることによって外部から目視される文字又は図形が変化することを特徴とする表示装置である。
【００１７】
本発明の表示装置は、保守作業が容易である。
【発明の効果】
【００１８】
本発明のシート駆動装置及び表示装置は、モータと減速機とがユニット化されてローラ本体に内蔵されているから、ハウジングを小型化することが可能である。また本発明のシート駆動装置及び表示装置は、ローラをフレームに取り付けたままの状態で、モータユニットをローラから抜き出すことが可能であるから保守作業が容易である。
【発明を実施するための最良の形態】
【００１９】
以下さらに本発明の実施形態について説明する。
図１は、本発明の実施形態の表示装置の斜視図である。
図１は、本発明の実施形態の表示装置１を示す。表示装置１は、ハウジング２内に後記するフレーム３やローラ５，６等が内蔵されたものである。
表示装置１のハウジング２は、正面視が長方形であり、正面側形状に比べて厚さの薄い筐体である。そして正面側の大部分の面積にガラス又は透明樹脂で作られた窓１０が設けられている。当該窓１０が表示装置１の表示面となる。
【００２０】
図２は、図１の表示装置のハウジングを外した状態を示し、図１の表示装置の内部構造を示す斜視図である。
図２に示す様に、ハウジング２の中には、フレーム３、下部側ローラ５、上部側ローラ６及び表示シート１１が内蔵されている。
フレーム３は、鋼材で枠組みされたものであり、上下に一対づつ取付けブラケット１５，１６，１７，１８が設けられている。
そして上段側の取付けブラケット１５，１６に、上部側ローラ６が取り付けられている。また下段側の取付けブラケット１７，１８に、下部側ローラ５が取り付けられている。  上部側ローラ６と下部側ローラ５は、同一構造のものであり、後記する様にモータユニット２０が内蔵されたローラである。
両者を代表して下部側ローラ５の構造を説明し、上部側ローラ６の説明を省略する。
【００２１】
下部側ローラ５は、図３，４，７，８に示す様にローラの内部にモータユニット２０が内蔵されたローラであり、モータユニット２０に内蔵されたモータ３５によって最も外側のローラが回転される。即ち下部側ローラ５は、ローラ本体６０とモータユニット２０によって構成されている。
【００２２】
まずモータユニット２０の構造について説明する。図５は、モータユニットの正面断面図であり、図６は、図５のモータユニットの側面図である。なお作図の都合上、断面図のハッチングを省略している。
モータユニット２０は、図５の様にケース部３０と、ケース部３０の端部に設けられたフランジ部３１と、ケース部３０に内蔵された駆動部３２と、駆動部３２の動力を受けて回転する出力軸３３によって構成されている。
即ち本実施形態のモータユニット２０は、円筒状のケース部３０で覆われている。そしてケース部３０の内部には駆動部３２が収められている。駆動部３２は、具体的には、モータ３５と減速機３６である。
ケース部３０の基端側は、固定側ホルダー２９を介して円形のフランジ部３１が設けられている。フランジ部３１は、ケース部３０の外径よりも大きく、後記するブラケット１８の孔（開口）８２よりも大きい。フランジ部３１の軸芯はケース部３０と一致する。そしてフランジ部３１であってケース部３０と接しない部位には孔２７が３個設けられている。孔２７は、ネジ挿通用の孔である。
フランジ部３１には、内部のモータ３５に電流を供給するためのケーブル２８が挿通されている。
【００２３】
一方ケース部３０の他方の端部には出力軸３３が露出している。前記出力軸３３は駆動部３２から延長されてケース部３０から突出するものであり、先端にテーパー部３８が形成されていて先端側が細く尖っている。
また出力軸３３の中間部には軸側係合部４０が設けられている。軸側係合部４０は、断面形状が四角形に面取りされた部位である。
【００２４】
前記した出力軸３３は、出力軸ホルダ４１によってそれぞれケース部３０の先端部に取り付けられている。
以上モータユニット２０を構成する各部材の全体構成を説明したが、以下各部材の構成について個別に説明を加える。
【００２５】
即ちケース部３０は、金属で作られた円筒であり、両端が開放されている。出力軸ホルダ４１は、樹脂等で成形されたものである。出力軸ホルダ４１は、略円筒状をしていて、外径はケース部３０の内径と等しく、ケース部３０の一端部（図５  左端）に一体的にはめ込まれる。
また出力軸ホルダ４１は内部に２連のベアリング４３を有している。出力軸ホルダ４１のベアリング４３の内径は出力軸３３と等しく、出力軸３３の回転を妨げないよう保持している。即ち出力軸３３は、ケース部３０に対して相対的に回転する。
【００２６】
一方固定側ホルダ２９も同様に略円筒状をしており、出力軸ホルダ４１と同様ケース部３０の端部（図５、右端）にはめ込まれる。
固定側ホルダ２９は、フランジ部３１をケース部３０に対して一体的に固定するものであり、フランジ部３１は固定側ホルダ２９にネジ４５，４６で固定されている。
【００２７】
駆動部３２はモータ３５と減速機３６で構成されている。モータ３５は、中心軸上に設けられた回転子４７に永久磁石が使用され、それを取り巻くようにコイルを配して固定子５０が構成されたものである。磁極検出装置としてはホール素子等が使用される。
また減速機３６はモータ３５と出力軸３３の間にあり、モータ３５の回転速度を減速させて出力軸３３に伝えるためのものである。
【００２８】
次にローラ本体６０及び動力伝達部材６１について説明する。
ローラ本体６０は、長尺大径のローラであり、円筒形の筒体６４を持ち、その両端に蓋部材６２，６３が設けられたものである。
蓋部材６２，６３は、いずれも筒体６４の端部に一体的に装着されるものであり、筒体６４内に挿入される内装部６５と、筒体６４から突出する軸部６６によって構成されている。
蓋部材６２，６３の軸部６６は、中央に孔（開口）６７が設けられており、孔６７を介してローラ本体６０の内外が連通している。蓋部材６２，６３に設けられた孔（開口）６７は、前記したモータユニット２０のケース部の外径と略等しい。
ローラ本体６０の内部は、中空である。
【００２９】
動力伝達部材６１は、ローラ本体６０の内部にあり、枠部材６８と、係合孔形成部材７０によって構成されている。枠部材６８は、ローラ本体６０の内径と等しい外形を有する外側環状部７２と、係合孔形成部材７０を保持する内側環状部７３を有する部材である。係合孔形成部材７０は、中央に係合孔７５を有する板体である。係合孔形成部材７０の中央の係合孔７５は、断面形状が４角形又は８角形であり、前記したモータユニット２０の出力軸３３が挿通可能であり、且つ軸側係合部４０と係合可能である。
【００３０】
動力伝達部材６１は、枠部材６８の内側環状部７３で係合孔形成部材７０が保持されたものであり、枠部材６８と係合孔形成部材７０は、回転方向にも一体である。
また動力伝達部材６１の枠部材６８は、外側環状部７２が筒体６４に内接して一体的に結合されている。したがって係合孔形成部材７０と筒体６４は枠部材６８を介して一体的に結合されており、係合孔形成部材７０と筒体６４は一体的に回転する。また動力伝達部材６１は軸方向についても筒体６４と一体である。
係合孔形成部材７０に形成された係合孔７５は、筒体６４の中心にある。
【００３１】
ローラ本体６０は、前記した下段側のブラケット１７，１８を介してフレーム３に取り付けられる。なお下段側のブラケット１７，１８についてのみ詳細に説明するが、上段側のブラケット１５，１６の構造も下段側のブラケット１７，１８と同一である。
即ち下段側のブラケット１７，１８は、図３の様に内面側に軸受け８０が設けられている。即ち下段側のブラケット１７，１８は、内面側に軸受け保持部８１があり、軸受け８０の外輪が軸受け保持部８１に保持されている。
またブラケット１７，１８には、円形の開口（孔）８２が設けられている。円形の開口８２の中心は、前記した軸受け８０の中心と一致する。円形の開口８２の大きさは、前記したモータユニット２０のケース部３０の外径と略等しい。
【００３２】
そしてローラ本体６０は、ブラケット１７，１８に装着された軸受け８０を介してフレーム３に回転可能に支持されている。
【００３３】
次に、本実施形態の表示装置１を構成する各部材の組み立て構造について説明する。
図７は、図１の表示装置のローラの分解斜視図である。図８は、図１の表示装置のローラ本体からモータユニットを挿入する際の斜視図である。
前記したモータユニット２０は、先端側を動力伝達部材６１側に向けてローラ本体６０内に挿入されている。そしてモータユニット２０のケース部３０は、図３の様に、その大半の部分がローラ本体６０内にあり、先端の出力軸３３が動力伝達部材６１の係合孔７５に挿通され、出力軸３３の軸側係合部４０が動力伝達部材６１の係合孔７５と係合している。
ただし出力軸３３と係合孔７５の軸方向の移動を阻止する部材はなく、出力軸３３は単に係合孔７５に挿入されているに過ぎない。
【００３４】
一方、モータユニット２０の基端部に注目すると、モータユニット２０のフランジ部３１の内面側の平面が、ブラケット１８の外面側平面と接している。そしてフランジ部３１のネジ孔２７にネジ８４が挿通され、ネジ８４はブラケット１８に設けられた雌ねじ孔９０と係合している。従って、モータユニット２０のフランジ部３１は、ネジ８４によってブラケット１８に取り付けられており、モータユニット２０のフランジ部３１はブラケット（フレーム３）に一体的に取り付けられている。
【００３５】
こうしてフレーム３に対して、上下平行に下部側ローラ５と上部側ローラ６が取り付けられている。そして下部側ローラ５と上部側ローラ６の間に表示シート１１が懸架されている。ただし本実施形態では、表示シート１１はループ状に懸架されているのではなく、写真のフィルムの様に下部側ローラ５と上部側ローラ６に巻き付けられている。
表示シート１１には、公知のそれと同様に広告等の図形や文字、写真等が描かれている。
【００３６】
本実施形態の表示装置１は、下部側ローラ５及び上部側ローラ５に内蔵されたモータユニット２０内のモータ３５を回転させると、減速機３６で減速された回転数で出力軸３３が回転する。即ち下部側ローラ５のローラ本体６０内で出力軸３３が回転する。
ここで前記した様に、モータユニット２０は、フランジ部３１がフレーム３の一部にネジ止めされているから、モータユニット２０のケース部３０側は、フレーム３と一体的であり、回転しない。
一方、モータユニット２０の出力軸３３は、動力伝達部材６１を介してローラ本体６０に連結されており、さらにローラ本体６０は軸受け８０を介してフレーム３と結合されているので、ローラ本体６０はフレーム３に対して相対回転を許す。
そのためモータユニット２０のモータ３５を回転すると、ローラ本体６０が回転する。そして下部側ローラ５と上部側ローラ６の間に懸架された表示シート１１が移動し、ハウジング２の窓１０の位置と面する表示シート１１が変わり、窓１０を介して見える図形等が変わる。
【００３７】
本実施形態の表示装置１では、表示シート１１は、写真のフィルムの様に下部側ローラ５と上部側ローラ６に巻き付けられているので、表示シート１１を移動させる際には、下部側ローラ５と上部側ローラ６の双方を回転させることとなる。例えば窓１０から見える表示を上部側から下部側に移動させる場合には、下部側ローラ５を図２の反時計回りに回転させて現在表示されている表示シート１１を下部側ローラ５に巻き取る。これと同時に上部側ローラ６も反時計回りに回転し、上部側ローラ６に巻き付けられていた表示シート１１を繰り出す。なお表示シート１１に皺ができない様に、上部側ローラ６の繰り出し量又は下部側ローラ５にの巻き取り量が調整される。
表示シート１１には、公知のそれと同様に広告等の図形や文字、写真等が描かれている。
【００３８】
次に、本実施形態の表示装置１を保守する場合の手順を説明する。
表示装置１は、定期的に点検し、必要に応じてモータ３５を取り替えなければならない。表示装置１のモータ３５を取り替える場合には、下部側ローラ５（又は上部側ローラ６）をフレーム３に懸架したままの状態で、下部側ローラ５からモータユニット２０を抜き出す。
即ちモータユニット２０を抜き出す場合には、図４の様にモータユニット２０のフランジ部３１と、フレーム３のブラケット１８の間に挿通されたネジ８４を緩めて外す。
そして図４の様にモータユニット２０を引き出す。
ここで本実施形態では、ローラ本体６０の内部において、出力軸３３が動力伝達部材６１の係合孔７５と係合しているが、両者は単に回転方向に一体的に結合されているだけであり、軸方向には相対移動を許す。
また本実施形態では、ブラケット１８に孔（開口）８２が設けられており、ブラケット１８の孔８２と、ローラ本体６０の蓋部材６３の軸部６６に設けられた孔６７が連通している。また両者は同心である。そのためフレーム３のブラケット１８の間に挿通されたネジ８４を緩めて外し、その状態でモータユニット２０を外側に向かって引くと、モータユニット２０は外側に移動してローラ本体６０から抜き取られる。
【００３９】
そして抜き取ったモータユニット２０を点検し、必要に応じて分解してモータ３５を取り替える。また場合によっては、新たなモータユニット２０を用意し、モータユニット２０ごと取り替えてもよい。
【００４０】
そして前記とは逆の手順でモータユニット２０をローラ本体６０に装着する。即ちブラケット１８の孔８２にモータユニット２０の出力軸３３を挿通し、さらにモータユニット２０をローラ本体６０に押し込む。
ここでブラケット１８の孔８２は、ローラ本体６０の蓋部材６３の軸部６６に設けられた孔６７と連通し、ローラ本体６０内の空隙部に通じているから、ブラケット１８の孔８２にローラ本体６０を挿入すると、モータユニット２０は出力軸３３側を先頭にしてローラ本体６０の中に入る。またブラケット１８の孔８２と、ローラ本体６０の蓋部材６３の孔６７は、単に連通しているだけでなく、同じ大きさであって且つ同心である。さらにモータユニット２０のケース部３０の外径が略等しいから、前記した孔８２、６７がガイドとなり、モータユニット２０はローラ本体６０との同心位置を維持してローラ本体６０の空隙部分に入ってゆく。
【００４１】
そして出力軸３３の先端が動力伝達部材６１の係合孔７５の位置に至る。ここで出力軸３３の先端にはテーパー部３８があり、先端が尖っていて細いから、モータユニット２０の姿勢が多少傾いていても、出力軸３３の先端は、動力伝達部材６１の係合孔７５に掛かる。そしてさらにモータユニット２０を押し進めると、出力軸３３のテーパー部３８の作用により、モータユニット２０が調芯され、次第に姿勢がローラ本体６０と同心状となる。
【００４２】
そしてさらにモータユニット２０を押し進めると、末端側に設けられたフランジ部３１がブラケット１８と接し、モータユニット２０が軸方向に位置決めされる。このとき、モータユニット２０の先端部側では、出力軸３３の軸側係合部４０が動力伝達部材６１の係合孔７５の位置に至る。
そのため、出力軸３３の軸側係合部４０が動力伝達部材６１の係合孔７５と係合し、両者は一体的に回転する状態となる。
この状態で前記したネジ８４をネジ孔２７に挿通し、ネジ８４をブラケット側の雌ねじ孔９０と係合させてモータユニット２０のフランジ部３１をブラケット１８に固定する。その結果、モータユニット２０は、フレーム３に一体的に固定され、脱落することはない。
【００４３】
以上説明した実施形態では、表示シート１１を下部側ローラ５と上部側ローラ６の双方に巻き付けた構造を示したが、表示シート１１をループ状にして、複数のローラの間に環状に懸架してもよい。
【００４４】
また上記した実施形態では、固定手段としてネジ８４を採用し、ネジ８４を外すことによってモータユニット２０を取り外すことができる構成を採用した。上記した実施形態におけるネジ８４の機能は、モータユニット２０のケース部３０が回転することを阻止する機能と、モータユニット２０の脱落を防止する機能である。即ち上記した実施形態では、ネジ８４によってモータユニット２０が回転方向と軸方向の双方に動かない様に構成している。
しかしながら、本発明は、上記した構成に限定されるものではなく、例えば、モータユニット２０の回転阻止と、脱落防止を別の部材によって機能させてもよい。例えばモータユニット２０のケースやフランジに突起や切り欠き又は孔等を設け、フレームの一部と係合させてモータユニット２０をフレームに対して回転不能に固定してもよい。
またフックやラッチ、閂等の公知の構造によってモータユニット２０の脱落を防止してもよい。
【００４５】
本発明のシート駆動装置は、表示装置に内蔵することを目的として開発されたものであるが、他の用途に応用することを妨げるものではない。例えば大型のカーテンや緞帳を巻き取る装置。クリーンルームを遮蔽するシートを巻き上げる装置に採用することができる。
【図面の簡単な説明】
【００４６】
【図１】本発明の実施形態の表示装置の斜視図である。
【図２】図１の表示装置のハウジングを外した状態を示し、図１の表示装置の内部構造を示す斜視図である。
【図３】図１の表示装置のローラ及びフレームの一部の断面図である。
【図４】図１の表示装置のローラ本体からモータユニットを抜き出す際の様子を示すローラ及びフレームの一部の断面図である。
【図５】モータユニットの正面断面図である。
【図６】図５のモータユニットの側面図である。
【図７】図１の表示装置のローラの分解斜視図である。
【図８】図１の表示装置のローラ本体からモータユニットを挿入する際の斜視図である。
【図９】従来技術の表示装置のローラ部分を示した斜視図である。
【符号の説明】
【００４７】
１    表示装置
２    ハウジング
３    フレーム
５    下部側ローラ
６    上部側ローラ
１０  窓
１８  取付けブラケット
２０  モータユニット
２７  孔
３０  ケース部
３２  駆動部
３３  出力軸
６７  孔（開口）
８２  孔（開口）
【図１】
2010008959.tif 000003
【図２】
2010008959.tif 000004
【図３】
2010008959.tif 000005
【図４】
2010008959.tif 000006
【図５】
2010008959.tif 000007
【図６】
2010008959.tif 000008
【図７】
2010008959.tif 000009
【図８】
2010008959.tif 000010
【図９】
2010008959.tif 000011